(57)【要約】      （修正有）【課題】設置姿勢や接続形態の自由度が大きい電池セルの提供および電池セルを備えた組電池の提供。【解決手段】筐体２０と、筐体の外部に面した正極端子２２と、筐体の外部に面した負極端子２３と、を備え、正極端子２２と負極端子２３とのうち少なくとも一方が、複数設けられた、電池セル１０。また、電池セル１０と、導電部材と、を備え、電池セル１０の正極端子２２および負極端子２３は、電池セル１０の複数の端子２１を構成し、導電部材は、隣り合う二つの電池セル１０のうち一方の端子２１及び二つの電池セル１０のうち他方の端子２１の二つであって互いに隣り合う二つの端子２１を電気的に接続した、組電池。【選択図】図１
2018116893.tif 000002
【特許請求の範囲】
【請求項１】
筐体と、
前記筐体の外部に面した正極端子と、
前記筐体の外部に面した負極端子と、
を備え、
前記正極端子と前記負極端子とのうち少なくとも一方が、複数設けられた、電池セル。
【請求項２】
前記筐体の第一の方向に互いに間隔を空けて設けられた複数の前記正極端子と、
前記第一の方向に互いに間隔を空けて設けられ、前記第一の方向と交差する前記筐体の第二の方向に前記複数の正極端子と間隔を空けて設けられた複数の前記負極端子と、
を備えた、請求項１に記載の電池セル。
【請求項３】
前記筐体は、前記第一の方向に延びた第一の壁部と、前記第一の方向に延び且つ前記第二の方向に前記第一の壁部と間隔を空けて設けられた第二の壁部と、を有し、
前記正極端子は、前記第一の壁部と前記第二の壁部とのうち一方に設けられ、
前記負極端子は、前記第一の壁部と前記第二の壁部とのうち他方に設けられた、請求項２に記載の電池セル。
【請求項４】
前記正極端子は、前記一方の前記第一の方向の両端部のそれぞれに設けられ、
前記負極端子は、前記他方の前記第二の方向の両端部のそれぞれに設けられた、請求項３に記載の電池セル。
【請求項５】
前記両端部に設けられた二つの前記正極端子の間に設けられた、前記二つの正極端子とは別の前記正極端子と、
前記両端部に設けられた二つの前記負極端子の間に設けられた、前記二つの負極端子とは別の前記負極端子と、
を備えた、請求項４に記載の電池セル。
【請求項６】
前記筐体に、挿入部と前記挿入部が挿入される被挿入部とのうち一方が設けられ、
前記筐体は、前記挿入部と前記被挿入部とのうち他方に支持される、請求項１〜５のうちいずれか一つに記載の電池セル。
【請求項７】
複数の、請求項１〜６のうちいずれか一つに記載の電池セルと、
導電部材と、
を備え、
前記電池セルの前記正極端子および前記負極端子は、当該電池セルの複数の端子を構成し、
前記導電部材は、隣り合う二つの前記電池セルのうち一方の前記端子および前記二つの電池セルのうち他方の前記端子の二つであって互いに隣り合う二つの前記端子を電気的に接続した、組電池。
【請求項８】
前記電池セルは、請求項４に記載の電池セルであり、
複数の前記電池セルは、前記第一の方向が第三の方向に沿う姿勢で前記第三の方向に並べられ、
前記第三の方向に隣り合う二つの前記電池セルは、当該二つの電池セルの一方の前記正極端子および前記負極端子と、当該二つの電池セルの他方の前記正極端子および前記負極端子との位置関係が逆となる姿勢で、並べられた、請求項７に記載の組電池。
【請求項９】
前記電池セルは、請求項４に記載の電池セルであり、
複数の前記電池セルは、前記第一の方向が第三の方向に沿う姿勢で、前記第三の方向に沿う二つの列に並べられ、
前記二つの列は、前記第三の方向と交差する第四の方向に並べられ、
前記第三の方向に隣り合う二つの前記電池セルは、当該二つの電池セルの一方の前記正極端子および前記負極端子と、当該二つの電池セルの他方の前記正極端子および前記負極端子との位置関係が逆となる姿勢で、並べられ、
前記第四の方向に隣り合う二つの前記電池セルは、当該二つの電池セルの一方の前記正極端子および前記負極端子と、当該二つの電池セルの他方の前記正極端子および前記負極端子との位置関係が逆となる姿勢で、並べられた、請求項７に記載の組電池。
【請求項１０】
各前記電池セルは、複数の前記正極端子と、複数の前記負極端子と、を備え、
隣り合う二つの前記電池セルのうち一方の、二つ以上の前記正極端子または二つ以上の前記負極端子と、前記二つの電池セルのうち他方の、二つ以上の前記正極端子または二つ以上の前記負極端子と、を接続した前記導電部材が設けられた、請求項７〜９のうちいずれか一つに記載の組電池。
【発明の詳細な説明】
【技術分野】
【０００１】
本発明の実施形態は、電池セルおよび組電池に関する。
【背景技術】
【０００２】
従来、複数の電池セルを導電部材によって電気的に接続した組電池が知られている。
【先行技術文献】
【特許文献】
【０００３】
【特許文献１】特開２０１３−３７８６１号公報
【発明の概要】
【発明が解決しようとする課題】
【０００４】
この種の組電池では、例えば、設置姿勢や接続形態の自由度が大きい電池セルが望まれている。
【課題を解決するための手段】
【０００５】
実施形態の組電池は、筐体と、正極端子と、負極端子と、を備えている。前記正極端子は、前記筐体の外部に面している。前記負極端子は、前記筐体の外部に面している。前記正極端子と前記負極端子とのうち少なくとも一方が、複数設けられている。
【図面の簡単な説明】
【０００６】
【図１】図１は、第１の実施形態の電池セルの例示的かつ模式的な斜視図である。
【図２】図２は、第１の実施形態の電池セルの例示的かつ模式的な平面図である。
【図３】図３は、第１の実施形態の電池セルの例示的かつ模式的な底面図である。
【図４】図４は、図２のIV矢視図である。
【図５】図５は、図２のV矢視図である。
【図６】図６は、図２のVI矢視図である。
【図７】図７は、図２のVII矢視図である。
【図８】図８は、第１の実施形態の電池セルの一部の例示的かつ模式的な断面図である。
【図９】図９は、第１の実施形態の組電池の例示的かつ模式的な平面図である。
【図１０】図１０は、第１の実施形態の組電池の例示的かつ模式的な斜視図である。
【図１１】図１１は、第１の実施形態の組電池の例示的かつ模式的な斜視図である。
【図１２】図１２は、第１の実施形態の他の組電池の例示的かつ模式的な平面図である。
【図１３】図１３は、第２の実施形態の電池セルの例示的かつ模式的な斜視図である。
【図１４】図１４は、第２の実施形態の電池セルの例示的かつ模式的な斜視図であって、図１３とは異なる方向の視線での図である。
【図１５】図１５は、第２の実施形態の組電池の例示的かつ模式的な斜視図である。
【図１６】図１６は、第２の実施形態の他の組電池の例示的かつ模式的な斜視図である。
【図１７】図１７は、第３の実施形態の電池セルの例示的かつ模式的な斜視図である。
【図１８】図１８は、第３の実施形態の電池セルの例示的かつ模式的な平面図である。
【図１９】図１９は、図１８のXIX矢視図である。
【図２０】図２０は、図１８のXX矢視図である。
【図２１】図２１は、図１８のXXI矢視図である。
【図２２】図２２は、第３の実施形態の電池セルの一部の例示的かつ模式的な断面図である。
【図２３】図２３は、第３の実施形態の組電池の例示的かつ模式的な斜視図である。
【図２４】図２４は、第３の実施形態の組電池の支持部材の例示的かつ模式的な斜視図である。
【図２５】図２５は、第３の実施形態の製造過程の組電池の例示的かつ模式的な斜視図である。
【図２６】図２６は、図２５のXXVI矢視図である。
【図２７】図２７は、図２５のXXVII矢視図である。
【図２８】図２８は、第３の実施形態の組電池の例示的かつ模式的な斜視図であって、図２３とは異なる姿勢で配置された状態を示す図である。
【発明を実施するための形態】
【０００７】
以下、本発明の例示的かつ模式的な実施形態が開示される。以下に示される実施形態の構成、ならびに当該構成によってもたらされる作用および結果（効果）は、一例である。本発明は、以下の実施形態に開示される構成以外によっても実現可能である。また、本発明によれば、構成によって得られる種々の効果（派生的な効果も含む）のうち少なくとも一つが得られうる。
【０００８】
また、以下に開示される複数の実施形態には、同様の構成要素が含まれる。よって、以下では、それら同様の構成要素には共通の符号が付与されるとともに、重複する説明が省略される。
【０００９】
＜第１の実施形態＞
図１に示される電池セル１０は、例えば、リチウムイオン二次電池等で構成されている。リチウムイオン二次電池は、非水電解質二次電池の一種であり、電解質中のリチウムイオンが電気伝導を担う。正極材料としては、例えば、リチウムマンガン複合酸化物や、リチウムニッケル複合酸化物、リチウムコバルト複合酸化物、リチウムニッケルコバルト複合酸化物、リチウムマンガンコバルト複合酸化物、スピネル型リチウムマンガンニッケル複合酸化物、オリビン構造を有するリチウムリン酸化物等が用いられ、負極材料としては、例えば、チタン酸リチウム（ＬＴＯ）等の酸化物系材料や、ニオブ複合酸化物等の酸化物材料等が用いられる。また、電解質（例えば、電解液）としては、フッ素系錯塩（例えばＬｉＢＦ４、ＬｉＰＦ６）等のリチウム塩が配合された、例えば、炭酸エチレンや、炭酸プロピレン、炭酸ジエチル、炭酸エチルメチル、炭酸ジメチル等の有機溶媒等が単独であるいは複数混合されて用いられる。電池セル１０は、単電池等とも称される。なお、電池セル１０は、ニッケル水素電池や、ニッケルカドミウム電池等、他の二次電池であってもよい。
【００１０】
図１〜７に示されるように、電池セル１０は、筐体２０と、複数の端子２１と、を備えている。複数の端子２１は、二つ（複数）の正極端子２２および二つ（複数）の負極端子２３である。すなわち、二つの正極端子２２および二つの負極端子２３は、電池セル１０の複数の端子２１を構成している。端子２１は、電極端子とも称される。
【００１１】
筐体２０の内部には、例えば、電極体や、電解液等が収容されている。電極体は、例えば、正極シートと、負極シートと、絶縁層（セパレータ）と、を有している。電極体は、正極シート、負極シート、および絶縁層が巻回されて、扁平形状に構成されうる。電極体は、電極群であって発電要素として機能する。また、図２に示されるように、各正極端子２２は、正極導電部材２４を介して、電極体の正極シートと電気的に接続され、各負極端子２３は、負極導電部材２５を介して、電極体の負極シートと電気的に接続される。正極導電部材２４および負極導電部材２５は、それぞれ筐体２０を貫通している。正極導電部材２４および負極導電部材２５と筐体２０との間には、絶縁体やシール部材が設けられている。正極導電部材２４および負極導電部材２５は、導電部材や電極部とも称される。
【００１２】
図１〜７に示されるように、筐体２０は、扁平な直方体状に構成されている。すなわち、筐体２０は、厚さ方向Ｄ１、短手方向Ｄ２および長手方向Ｄ３を有した形状に構成されている。厚さ方向Ｄ１，短手方向Ｄ２および長手方向Ｄ３は、互いに直交している。厚さ方向Ｄ１は、高さ方向とも称され、短手方向Ｄ２は、第一の幅方向とも称され、長手方向Ｄ３は、第二の幅方向とも称される。
【００１３】
筐体２０は、複数の壁部２０ａ〜２０ｆを有している。壁部２０ａおよび壁部２０ｂは、いずれも、厚さ方向Ｄ１と直交する方向、すなわち短手方向Ｄ２および長手方向Ｄ３に沿って延びており、厚さ方向Ｄ１に間隔をあけて互いに略平行に設けられている。壁部２０ａ，２０ｂのうち一方は、底壁部や下壁部等とも称され、他方は、天壁部や上壁部等とも称される。
【００１４】
壁部２０ｃ〜２０ｆは、壁部２０ａの周縁部に位置され、壁部２０ａと壁部２０ｂとの間に亘っている。壁部２０ｃおよび壁部２０ｅは、いずれも、短手方向Ｄ２に沿って延びており、長手方向Ｄ３に間隔をあけて互いに略平行に設けられている。また、壁部２０ｄおよび壁部２０ｆは、いずれも、長手方向Ｄ３に沿って延びており、短手方向Ｄ２に互いに間隔をあけて互いに略平行に設けられている。壁部２０ｃ〜２０ｆは、側壁部等とも称される。また、壁部２０ｃ，２０ｅは、側壁部のうちの短辺部の一例であり、壁部２０ｄ，２０ｆは、側壁部のうちの長辺部の一例である。また、壁部２０ｃは、第一の壁部の一例であり、壁部２０ｅは、第二の壁部の一例である。
【００１５】
また、壁部２０ｃ，２０ｅは、ベース部２０ｃ１，２０ｅ１と、傾斜部２０ｃ２，２０ｅ２と、を有している。ベース部２０ｃ１，２０ｅ１は、壁部２０ｂの長手方向Ｄ３の端部に接続され、短手方向Ｄ２に沿って伸びている。ベース部２０ｃ１，２０ｅ１は、壁部２０ｂと略垂直である。また、傾斜部２０ｃ２，２０ｅ２は、壁部２０ａの長手方向Ｄ３の端部と、ベース部２０ｃ１，２０ｅ１の壁部２０ｂとは反対側の端部とに渡っている。傾斜部２０ｃ２，２０ｅ２は、壁部２０ａ側の端部から壁部２０ａとは反対側の端部に向かって徐々に壁部２０ｂと近づくように傾斜している。
【００１６】
また、筐体２０は、四つの角部２０ｇ〜２０ｊを有している。角部２０ｇは、壁部２０ｆと壁部２０ｃとの交差部（接続部）である。角部２０ｈは、壁部２０ｃと壁部２０ｄとの交差部である。角部２０ｉは、壁部２０ｄと壁部２０ｅとの交差部である。角部２０ｊは、壁部２０ｅと壁部２０ｆとの交差部である。
【００１７】
また、図８等に示されるように、壁部２０ｂは、例えば、ベース部２０ｂ１と、フランジ部２０ｂ２と、を有している。ベース部２０ｂ１は、壁部２０ｃ〜２０ｆに沿った長方形状の板状に構成され、壁部２０ｃ〜２０ｆの壁部２０ａとは反対側の開放部分を覆っている。また、フランジ部２０ｂ２は、ベース部２０ｂ１から筐体２０の外側に張り出している。フランジ部２０ｂ２は、突出部や、張出部等とも称される。
【００１８】
また、壁部２０ｃ〜２０ｆの壁部２０ａとは反対側、すなわち壁部２０ｂ側の端部には、フランジ部２０ｂ２に沿って筐体２０の外側に張り出したフランジ部２０ｐが設けられている。フランジ部２０ｐとフランジ部２０ｂ２とは、例えば、抵抗シーム溶接等によって互いに接合（結合）される。抵抗シーム溶接は、レーザ溶接と比べて、気密性や耐熱性等が高くなりやすく、かつ低コストであるという利点がある。フランジ部２０ｐは、突出部や、張出部等とも称される。
【００１９】
また、図１，８等に示されるように、筐体２０は、複数の部材（部品）が組み合わせられて構成されている。具体的には、筐体２０は、例えば、第一の筐体部材３１（ケース、第一のケース）と、第二の筐体部材３２（蓋、カバー、第二のケース）と、を有している。第一の筐体部材３１は、少なくとも、壁部２０ａ，２０ｃ〜２０ｆと、フランジ部２０ｐと、を有している。また、第二の筐体部材３２は、少なくとも、壁部２０ｂを有している。第一の筐体部材３１は、一端側が開放された直方体状の箱型に構成されている。第二の筐体部材３２は、筐体２０の長手方向Ｄ３に横長の略長方形状の板状に構成されている。第二の筐体部材３２は、第一の筐体部材３１の開放された部分を塞ぎ、抵抗シーム溶接等によって第一の筐体部材３１と一体化される。第一の筐体部材３１および第二の筐体部材３２は、例えば、ステンレス鋼によって構成されている。
【００２０】
図１，２等に示されるように、二つの正極端子２２は、筐体２０の外部に位置された状態で壁部２０ｃに設けられている。すなわち、二つの正極端子２２は、筐体２０の外部に面している。各正極端子２２は、例えば、溶接等によって正極導電部材２４と結合されており、正極導電部材２４を介して壁部２０ｃに支持されている。二つの正極端子２２は、筐体２０の短手方向Ｄ２に互いに間隔を空けて設けられている。正極端子２２は、壁部２０ｃの短手方向Ｄ２の両端部２０ｃ３，２０ｃ４のそれぞれに設けられている。上記の配置では、端部２０ｃ３に設けられた正極端子２２は、筐体２０の四つの角部２０ｇ〜２０ｊのうち角部２０ｇ寄りに位置され、端部２０ｃ４に設けられた正極端子２２は、筐体２０の四つの角部２０ｇ〜２０ｊのうち角部２０ｈ寄りに位置されている。
【００２１】
正極端子２２は、ベース部２２ａと、端子部２２ｂと、を有し、板状に構成されている。ベース部２２ａは、壁部２０ｃの傾斜部２０ｃ２に沿った板状に構成され、正極導電部材２４に溶接等によって接合されている。端子部２２ｂは、ベース部２２ａから筐体２０の長手方向Ｄ３での外側に延びている。端子部２２ｂは、短手方向Ｄ２および長手方向Ｄ３に沿った板状に構成されている。
【００２２】
また、二つの負極端子２３は、筐体２０の外部に位置された状態で壁部２０ｅに設けられている。すなわち、二つの負極端子２３は、筐体２０の外部に面している。各負極端子２３は、例えば、溶接等によって負極導電部材２５と結合されており、負極導電部材２５を介して壁部２０ｅに支持されている。二つの負極端子２３は、筐体２０の短手方向Ｄ２に互いに間隔を空けて設けられている。負極端子２３は、壁部２０ｅの短手方向Ｄ２の両端部２０ｅ３，２０ｅ４のそれぞれに設けられている。このような配置の二つの負極端子２３は、筐体２０の長手方向Ｄ３に二つの正極端子２２と間隔を空けて設けられている。また、端部２０ｅ３に設けられた負極端子２３は、筐体２０の四つの角部２０ｇ〜２０ｊのうち角部２０ｊ寄りに位置され、端部２０ｃ４に設けられた負極端子２３は、筐体２０の四つの角部２０ｇ〜２０ｊのうち角部２０ｉ寄りに位置されている。
【００２３】
負極端子２３は、ベース部２３ａと、端子部２３ｂと、を有し、板状に構成されている。ベース部２３ａは、壁部２０ｅの傾斜部２０ｅ２に沿った板状に構成され、負極導電部材２５に溶接等によって接合されている。端子部２３ｂは、ベース部２３ａから筐体２０の長手方向Ｄ３での外側に延びている。端子部２３ｂは、短手方向Ｄ２および長手方向Ｄ３に沿った板状に構成されている。
【００２４】
次に、図９〜１２を参照して、互いに電気的に接続された複数の電池セル１０を備えた組電池１００，１００Ａについて説明する。なお、図９，１２では、電池セル１０が概略的に示されている。また、図９〜１２では、便宜上、Ｘ方向、Ｙ方向、およびＺ方向が規定されている。Ｘ方向、Ｙ方向、およびＺ方向は、互いに直交している。Ｘ方向は、例えば、組電池１００，１００Ａが設置される設置対象の上下方向の上方に沿う。なお、Ｘ方向は、他の方向に沿っていてもよい。
【００２５】
組電池１００，１００Ａは、種々の装置や、機械、設備等の設置対象に設置され、それら種々の装置や、機械、設備の電源として使用される。例えば、組電池１００，１００Ａは、自動車や自転車（移動体）等の電源等、移動型の電源としても使用される他、例えば、ＰＯＳ（Point  Of  Sales）システム用の電源等、定置型の電源としても使用されうる。また、種々の装置等には、複数の、本実施形態で示される組電池１００，１００Ａを、直列あるいは並列に接続したセットとして搭載することもできる。よって、組電池１００，１００Ａは、電池モジュールや電池ユニット等とも称される。なお、組電池１００，１００Ａに含まれる電池セル１０の数や配置等は、本実施形態で開示されるものには限定されない。また、組電池１００，１００Ａには、電池セル１０の電圧や温度を監視するための配線や、監視基板、電池制御のための制御基板等が含まれうる。
【００２６】
図９に示されるように、組電池１００は、複数の電池セル１０と、導電部材１０１と、出力用導電部材１０２と、を備えている。複数の電池セル１０は、複数の導電部材１０１によって互いに電気的に接続されている。組電池１００では、複数の電池セル１０は、複数の導電部材１０１によって直列に接続されている。出力用導電部材１０２は、組電池１００の外部接続端子として機能する。なお、以下、複数の導電部材１０１を区別して説明する場合、各導電部材１０１を導電部材１０１Ａ，１０１Ｂ等と称する場合がある。導電部材１０１は、バスバーとも称される。
【００２７】
複数の電池セル１０は、二つの列Ｌ１，Ｌ２に並べられている。各列Ｌ１，Ｌ２は、Ｘ方向に沿っている。二つの列Ｌ１，Ｌ２は、Ｘ方向と交差するＹ方向に並べられている。Ｘ方向は、第三の方向の一例であり、Ｙ方向は、第四の方向の一例である。
【００２８】
各列Ｌ１，Ｌ２では、複数の電池セル１０が、短手方向Ｄ２がＸ方向に沿う姿勢でＸ方向に並べられている。また、Ｘ方向に隣り合う二つの電池セル１０は、当該二つの電池セル１０の一方の正極端子２２および負極端子２３と、当該二つの電池セル１０の他方の正極端子２２および負極端子２３との位置関係が逆となる姿勢で、並べられている。また、Ｙ方向に隣り合う二つの電池セル１０は、当該二つの電池セル１０の一方の正極端子２２および負極端子２３と、当該二つの電池セル１０の他方の正極端子２２および負極端子２３との位置関係が同じとなる姿勢で、並べられている。
【００２９】
導電部材１０１は、隣り合う二つの電池セル１０のうち一方の端子２１（正極端子２２または負極端子２３）および当該二つの電池セル１０のうち他方の端子２１（正極端子２２または負極端子２３）の二つであって互いに隣り合う二つの端子を電気的に接続している。
【００３０】
例えば、列Ｌ１に設けられた導電部材１０１Ａは、列Ｌ１においてＸ方向に隣り合う二つの電池セル１０のうちＸ方向側（図９における上方側）に位置された電池セル１０の正極端子２２と、当該二つの電池セル１０のうちＸ方向と反対方向側（図９における下方側）に位置された電池セル１０の負極端子２３と、を電気的に接続している。
【００３１】
また、列Ｌ２に設けられた導電部材１０１Ｂは、列Ｌ２においてＸ方向に隣り合う二つの電池セル１０のうちＸ方向側（図９における上方側）に位置された電池セル１０の負極端子２３と、当該二つの電池セル１０のうちＸ方向と反対方向側（図９における下方側）に位置された電池セル１０の正極端子２２と、を電気的に接続している。
【００３２】
また、列Ｌ１と列Ｌ２とに渡って設けられた導電部材１０１Ｃは、列Ｌ１のＸ方向の端部に位置された電池セル１０の正極端子２２と、列Ｌ２のＸ方向の端部に位置された電池セル１０の負極端子２３と、を電気的に接続している。
【００３３】
上記構成の組電池１００においては、複数の電池セル１０の厚さ方向Ｄ１に関する姿勢（設置姿勢）は、互いに同じであってもよいし、部分的に異なっていてもよい。図１０には、複数の電池セル１０の厚さ方向Ｄ１方向に関する姿勢（設置姿勢）が、互いに同じになっている例が示されている。図１０の例では、各電池セル１０は、壁部２０ａが壁部２０ｂのＺ方向側に位置する姿勢で配置されている。また、図１１には、Ｘ方向に隣り合う二つの電池セル１０の厚さ方向Ｄ１に関する姿勢（設置姿勢）が互いに逆になっている例が示されている。すなわち、図１１の例では、Ｘ方向に隣り合う二つの電池セル１０のうち一方は、壁部２０ａが壁部２０ｂのＺ方向側に位置する姿勢で配置され、当該二つの電池セル１０のうち他方は、壁部２０ｂが壁部２０ａのＺ方向側に位置する姿勢で配置されている。なお、図１０，１１では、導電部材１０１および出力用導電部材１０２は、概略的に示されている。
【００３４】
図１２に示される組電池１００Ａは、組電池１００と同様に、複数の電池セル１０と、導電部材１０１と、出力用導電部材１０２と、を備え、複数の電池セル１０は、二つの列Ｌ１Ａ，Ｌ２Ａに並べられている。また、組電池１００と同様に、各列Ｌ１Ａ，Ｌ２Ａでは、複数の電池セル１０が、短手方向Ｄ２がＸ方向に沿う姿勢でＸ方向に並べられている。また、Ｘ方向に隣り合う二つの電池セル１０は、当該二つの電池セル１０の一方の正極端子２２および負極端子２３と、当該二つの電池セル１０の他方の正極端子２２および負極端子２３との位置関係が逆となる姿勢で、並べられている。
【００３５】
ただし、組電池１００Ａでは、Ｙ方向に隣り合う二つの電池セル１０は、当該二つの電池セル１０の一方の正極端子２２および負極端子２３と、当該二つの電池セル１０の他方の正極端子２２および負極端子２３との位置関係が逆となる姿勢で、並べられている。そして、複数の電池セル１０は、複数の導電部材１０１（導電部材１０１Ｃ，１０１Ｄ）によって、直列および並列の組み合わせで接続されている。
【００３６】
導電部材１０１Ｃは、四つの電池セル１０を直並列に接続している。具体的には、導電部材１０１Ｃは、各列Ｌ１Ａ，Ｌ１ＢにおいてＸ方向に隣り合う二つの電池セル１０のうちＸ方向側（図１２における上方側）に位置された電池セル１０の正極端子２２と、当該二つの電池セル１０のうちＸ方向と反対方向側（図１２における下方側）に位置された電池セル１０の負極端子２３と、を電気的に接続している。また、導電部材１０１Ｃは、Ｙ方向に隣り合う二つの電池セル１０のうち一方の端子２１（正極端子２２または負極端子２３）および当該二つの電池セル１０のうち他方の端子２１（正極端子２２または負極端子２３）の二つであって互いに隣り合う二つの端子を電気的に接続している。すなわち、導電部材１０１Ｃは、Ｙ方向に隣り合う二つの電池セル１０の同極の二つの端子２１を電気的に接続している。また、導電部材１０１Ｄは、各列Ｌ１Ａ，Ｌ１ＢにおいてＸ方向に隣り合う二つの電池セル１０を直列に接続している。
【００３７】
上記構成の組電池１００Ａにおいては、組電池１００と同様に、複数の電池セル１０の厚さ方向Ｄ１に関する姿勢（取付姿勢）は、互いに同じであってもよいし、部分的に異なっていてもよい。
【００３８】
以上のように、本実施形態では、電池セル１０は、筐体２０と、筐体２０の外部に面した正極端子２２と、筐体２０の外部に面した負極端子２３と、を備え、正極端子２２と負極端子２３とのうち少なくとも一方（一例として、両方）が、複数設けられている。よって、本実施形態によれば、例えば、電池セル１０を図１０，１１等に示された複数の設置姿勢のうちいずれかで設置することができる。すなわち、本実施形態の電池セル１０は、設置姿勢の自由度が大きいという利点がある。よって、電池盤等の設置対象において電池セル１０の設置のための制約（寸法制約）が大きい場合であっても、電池セル１０の設置を比較的容易に行うことができる。また、電池セル１０の設置姿勢の自由度が大きいことにより、導電部材１０１で接続される二つの端子２１間の距離が短くなるように、複数の電池セル１０を設置することができるので、導電部材１０１を短くしやすい。よって、導電部材１０１の長大化による発熱の増大を抑制することができるとともに、導電部材１０１の構造信頼性の向上およびコスト低減を図ることができる。
【００３９】
ここで、本実施形態では、導電部材１０１が、一つの電池セル１０において、当該電池セル１０の一つの正極端子２２または一つの負極端子２３と接続された例が示されたが、これに限られない。例えば、導電部材１０１は、一つの電池セル１０において、当該電池セル１０の複数の正極端子２２または複数の負極端子２３と接続されていてもよい。このように、本実施形態の電池セル１０は、複数の接続形態のうちいずれかで導電部材１０１と接続することができる。すなわち、本実施形態の電池セル１０は、接続形態の自由度が大きいという利点がある。
【００４０】
また、本実施形態の電池セル１０では、二つ（複数）の正極端子２２が、筐体２０の短手方向Ｄ２（第一の方向）に互いに間隔を空けて設けられている。また、二つ（複数）の負極端子２３が、筐体２０の短手方向Ｄ２に互いに間隔を空けて設けられ、短手方向Ｄ２と交差する筐体２０の長手方向Ｄ３（第二の方向）に複数の正極端子２２と間隔を空けて設けられている。よって、本実施形態によれば、例えば、電池セル１０の厚さ方向Ｄ１に関して互いの逆の二つの姿勢のうちいずれかの設置形態で電池セル１０を設置することができる。
【００４１】
また、本実施形態の電池セル１０では、筐体２０は、短手方向Ｄ２に延びた壁部２０ｃ（第一の壁部）と、短手方向Ｄ２に延び且つ長手方向Ｄ３に壁部２０ｃと間隔を空けて設けられた壁部２０ｅ（第二の壁部）と、を有している。また、正極端子２２は、壁部２０ｃと壁部２０ｅとのうち一方（一例として、壁部２０ｃ）に設けられている。また、負極端子２３は、壁部２０ｃと壁部２０ｅとのうち他方（一例として、壁部２０ｅ）に設けられている。よって、本実施形態によれば、例えば、複数の電池セル１０を列状に並べやすい。なお、正極端子２２が壁部２０ｅに設けられ、負極端子２３が壁部２０ｃに設けられていてもよい。
【００４２】
また、本実施形態の電池セル１０では、正極端子２２は、壁部２０ｃと壁部２０ｅとのうち一方（一例として、壁部２０ｃ）の短手方向Ｄ２の両端部２０ｃ３，２０ｃ４のそれぞれに設けられている。また、負極端子２３は、壁部２０ｃと壁部２０ｅとのうち他方（一例として、壁部２０ｅ）の長手方向Ｄ３の両端部２０ｅ３，２０ｅ４のそれぞれに設けられている。よって、本実施形態によれば、例えば、正極端子２２が、壁部２０ｃの短手方向Ｄ２の中央部に一つだけ設けられ、負極端子２３が壁部２０ｅの短手方向Ｄ２の中央部に一つだけ設けられた構成に比べて、導電部材１０１Ａ，１０１Ｂの長さを短くしやすい。
【００４３】
また、本実施形態の組電池１００，１００Ａは、複数の電池セル１０と、導電部材１０１と、を備えている。電池セル１０の正極端子２２および負極端子２３は、当該電池セルの複数の端子２１を構成している。導電部材１０１は、隣り合う二つの電池セル１０のうち一方の端子２１および当該二つの電池セル１０のうち他方の端子２１の二つであって互いに隣り合う二つの端子２１を電気的に接続している。よって、本実施形態によれば、例えば、導電部材１０１の長さを短くしやすい。
【００４４】
＜第２の実施形態＞
次に、図１３〜１６を参照して第２の実施形態を説明する。本実施形態の電池セル１０Ａおよび組電池１００Ｂ，１００Ｃは、上記第１の実施形態の電池セル１０および組電池１００，１００Ａと同様の構成を備えている。よって、本実施形態によっても、上記第１の実施形態と同様の構成に基づく同様の結果（効果）が得られる。なお、図１３〜１６では、電池セル１０Ａが概略的に示されている。
【００４５】
ただし、本実施形態では、例えば、図１３，１４に示されるように、電池セル１０Ａは、三つの正極端子２２と、三つの負極端子２３と、を備えている。なお、電池セル１０Ａは、四つ以上の正極端子２２と、四つ以上の負極端子２３と、を備えていてもよい。
【００４６】
図１３に示されるように、三つの正極端子２２は、壁部２０ｃに一列に設けられ、正極導電部材２４（図１参照）を介して壁部２０ｃに支持されている。三つの正極端子２２のうち二つは、第１の実施形態と同様に、壁部２０ｃの短手方向Ｄ２の両端部２０ｃ３，２０ｃ４に設けられている。三つの正極端子２２のうち他の一つは、両端部２０ｃ３，２０ｃ４に設けられた二つの正極端子２２の間に設けられている。当該他の正極端子２２は、壁部２０ｃの両端部２０ｃ３，２０ｃ４に設けられた二つの正極端子２２とは別の正極端子の一例である。なお、両端部２０ｃ３，２０ｃ４に設けられた二つの正極端子２２の間には、二つ以上の他の正極端子２２が設けられていてもよい。
【００４７】
図１４に示されるように、三つの負極端子２３は、壁部２０ｅに一列に設けられ、負極導電部材２５（図１参照）を介して壁部２０ｅに支持されている。三つの負極端子２３のうち二つは、第１の実施形態と同様に、壁部２０ｅの短手方向Ｄ２の両端部２０ｅ３，２０ｅ４に設けられている。三つの負極端子２３のうち他の一つは、両端部２０ｅ３，２０ｅ４に設けられた二つの負極端子２３の間に設けられている。当該他の負極端子２３は、壁部２０ｅの両端部２０ｅ３，２０ｅ４に設けられた二つの負極端子２３とは別の負極端子の一例である。なお、両端部２０ｅ３，２０ｅ４に設けられた二つの負極端子２３の間には、二つ以上の他の負極端子２３が設けられていてもよい。
【００４８】
次に、図１５，１６を参照して、互いに電気的に接続された複数の電池セル１０Ａを備えた組電池１００Ｂ，１００Ｃについて説明する。
【００４９】
図１５に示されるように、組電池１００Ｂは、複数の電池セル１０Ａと、複数の導電部材１０１（導電部材１０１Ｄ，１０１Ｅ）と、を備えている。
【００５０】
複数の電池セル１０Ａは、短手方向Ｄ２がＸ方向に沿う姿勢で、Ｘ方向およびＺ方向に並べられている。複数の電池セル１０Ａは、複数の導電部材１０１Ｄ，１０１Ｅによって互いに電気的に接続されている。組電池１００Ｂでは、複数の電池セル１０Ａは、複数の導電部材１０１Ｄ，１０１Ｅによって、直列および並列の組み合わせで接続されている。
【００５１】
各導電部材１０１Ｄ，１０１Ｅは、隣り合う二つの電池セル１０Ａのうち一方の、二つの正極端子２２または二つの負極端子２３と、当該二つの電池セル１０Ａのうち他方の、二つの正極端子２２または二つの負極端子２３と、を接続している。
【００５２】
例えば、導電部材１０１Ｄは、Ｘ方向に隣り合う二つの電池セル１０Ａのうち一方の二つの正極端子２２と、当該二つの電池セル１０のうち他方の二つの負極端子２３と、を接続している。また、導電部材１０１Ｄは、Ｚ方向に隣り合う二つの電池セル１０Ａのうち一方の二つの端子２１（正極端子２２または負極端子２３）および当該二つの電池セル１０のうち他方の二つの端子２１（正極端子２２または負極端子２３）を電気的に接続している。すなわち、導電部材１０１Ｄは、Ｚ方向に隣り合う二つの電池セル１０の同極の二つの端子２１を電気的に接続している。
【００５３】
また、導電部材１０１Ｅは、Ｚ方向に並べられた四つの電池セル１０Ａの複数の端子２１を電気的に接続している。例えば、導電部材１０１Ｅは、四つの電池セル１０Ａのうち二つの電池セル１０Ａのそれぞれ二つの正極端子２２と、四つの電池セル１０Ａのうち他の二つの電池セル１０Ａのそれぞれ二つの負極端子２３と、を電気的に接続している。
【００５４】
上記のように、組電池１００Ｂでは、導電部材１０１Ｄ，１０１Ｅは、一つの電池セル１０Ａにおいて、当該電池セルの同極の三つの端子２１（正極端子２２または負極端子２３）のうち二つの端子２１と接続されている。これに対して、図１６に示される組電池１００Ｃでは、導電部材１０１Ｄ，１０１Ｅは、一つの電池セル１０Ａにおいて、当該電池セル１０Ａの同極の三つの端子２１（正極端子２２または負極端子２３）のうち三つ（全て）の端子２１と接続されている。なお、図１６では、導電部材１０１Ｅの図示は、省略されている。組電池１００Ｃの他の構成は、組電池１００Ｂと同様である。
【００５５】
以上のように、本実施形態では、電池セル１０Ａは、両端部２０ｃ３，２０ｃ４に設けられた二つの正極端子２２の間に設けられた、当該二つの正極端子２２とは別の正極端子２２と、両端部２０ｅ３，２０ｅ４に設けられた二つの負極端子２３の間に設けられた、当該二つの負極端子２３とは別の負極端子２３と、を備えている。よって、本実施形態の電池セル１０Ａは、設置姿勢の自由度および接続形態の自由度が大きいという利点がある。
【００５６】
また、本実施形態では、導電部材１０１は、隣り合う二つの電池セル１０Ａのうち一方の、二つ以上の正極端子２２または二つ以上の負極端子２３と、当該二つの電池セル１０Ａのうち他方の、二つ以上の正極端子２２または二つ以上の負極端子２３と、を接続している。よって、本実施形態によれば、例えば、二つの電池セル１０Ａ間に流れる電流量を大きくしやすい。
【００５７】
＜第３の実施形態＞
次に、図１７〜２８を参照して第３の実施形態を説明する。本実施形態の電池セル１０Ｂおよび組電池１００Ｄは、上記第１の実施形態の電池セル１０および組電池１００と同様の構成を備えている。よって、本実施形態によっても、上記第１の実施形態と同様の構成に基づく同様の結果（効果）が得られる。
【００５８】
ただし、本実施形態では、例えば、図１７〜２１に示されるように、電池セル１０Ｂの筐体２０には、二つの被挿入部２０ｋが設けられている。被挿入部２０ｋは、筐体２０の短手方向Ｄ２の両端部に設けられている。被挿入部２０ｋは、筐体２０の長手方向Ｄ３に伸びた筒状に構成されている。二つの被挿入部２０ｋは、壁部２０ｄ，２０ｆの外側に位置され、壁部２０ｄ，２０ｆに面している。図２２に示されるように、被挿入部２０ｋは、壁部２０ｂのフランジ部２０ｂ２に接続されている。被挿入部２０ｋは、例えば、壁部２０ｂを含む板材の端部を円状に折り返すことにより形成される。すなわち、被挿入部２０ｋは、壁部２０ｂと一体形成されている。なお、被挿入部２０ｋは、壁部２０ｂと溶接等によって接合されてもよい。被挿入部２０ｋは、取付部とも称される。なお、電池セル１０Ｂの端子２１の数や配置は、図１７の例では電池セル１０と同じであるが、これに限られない。例えば、電池セル１０Ｂの端子２１の数や配置は、電池セル１０Ｂの端子２１と同様であってもよい。
【００５９】
次に、図２３〜２８を参照して、互いに電気的に接続された複数の電池セル１０Ｂを備えた組電池１００Ｄについて説明する。
【００６０】
図２３に示されるように、組電池１００Ｄは、複数の電池セル１０Ｂと、支持体１０３と、を備えている。複数の電池セル１０Ｂは、互いに厚さ方向Ｄ１に重ねられた状態で、導電部材１０１（図２３では不図示、図９参照）によって直列に接続されている。複数の電池セル１０Ｂは、支持体１０３によって支持されている。なお、複数の電池セル１０Ｂは、並列に接続されていてもよいし、直列および並列の組み合わせで接続されていてもよい。
【００６１】
図２４に示されるように、支持体１０３は、ベース部１０３ａと、複数の支持部１０３ｂと、を有している。ベース部１０３ａは、例えば、板状に構成されている。複数の支持部１０３ｂは、二列に並べられている。支持部１０３ｂは、棒状に構成され、ベース部１０３ａに固定されている。支持部１０３ｂは、円柱状の挿入部１０３ｄと、当接部１０３ｃと、を有している。挿入部１０３ｄは、電池セル１０Ｂの被挿入部２０ｋに挿入される。当接部１０３ｃは、挿入部１０３ｄよりも大径に構成され、挿入部１０３ｄのベース部１０３ａ側の端部に接続されている。
【００６２】
図２３に示されるように、各電池セル１０Ａの筐体２０は、被挿入部２０ｋに挿入部１０３ｄが入れられた状態で支持部１０３ｂによって支持されている。具体的には、挿入部１０３ｄは、被挿入部２０ｋを挿入部１０３ｄの外周面を支持し、当接部１０３ｃは、被挿入部２０ｋの一端部を支持している。図２５〜２７には、電池セル１０Ｂを支持体１０３に組み付ける一過程が示されている。図２５〜２７から分かるように、例えば、複数の電池セル１０Ｂは、挿入部１０３ｄの当接部１０３ｃとは反対側から、被挿入部２０ｋが挿入部１０３ｄに対して移動されることにより、被挿入部２０ｋに挿入部１０３ｄが挿入される。
【００６３】
上記構成の組電池１００Ｄは、種々の姿勢で設置されうる。例えば、図２３に示されるように、組電池１００Ｄは、支持部１０３ｂがベース部１０３ａからＺ方向に沿って延びる姿勢で設置されうる。また、図２８に示されるように、組電池１００Ｄは、支持部１０３ｂがベース部１０３ａからＹ方向に沿って延びる姿勢で設置されうる。
【００６４】
以上のように、本実施形態では、電池セル１０Ｂの筐体２０に、挿入部１０３ｄと挿入部１０３ｄが挿入される被挿入部２０ｋとのうち一方（一例として、被挿入部２０ｋが設けられ、筐体２０は、挿入部１０３ｄと被挿入部２０ｋとのうち他方（一例として、挿入部１０３ｄ）に支持されている。よって、本実施形態によれば、例えば、電池セル１０Ｂの設置がしやすい。
【００６５】
なお、本実施形態では、電池セル１０Ｂに被挿入部２０ｋが設けられ、支持体１０３に挿入部１０３ｄが設けられた例が示されたが、これに限られない。すなわち、電池セル１０Ｂに挿入部が設けられ、支持体１０３に被挿入部が設けられていてもよい。この場合には、例えば、電池セル１０Ｂの挿入部とフランジ部２０ｂ２との間に被挿入部の一部が入るスリットを設けてもよいし、支持体１０３の被挿入部に、電池セル１０Ｂのフランジ部２０ｂ２が入るスリットを設けてもよい。
【００６６】
以上、本発明の実施形態を例示したが、上記実施形態はあくまで一例であって、発明の範囲を限定することは意図していない。上記実施形態は、その他の様々な形態で実施されることが可能であり、発明の要旨を逸脱しない範囲で、種々の省略、置き換え、組み合わせ、変更を行うことができる。上記実施形態は、発明の範囲や要旨に含まれるとともに、特許請求の範囲に記載された発明とその均等の範囲に含まれる。本発明は、上記実施形態に開示される構成以外によっても実現可能であるとともに、基本的な構成（技術的特徴）によって得られる種々の効果（派生的な効果も含む）を得ることが可能である。また、各構成要素のスペック（構造や、種類、方向、形状、大きさ、長さ、幅、厚さ、高さ、数、配置、位置、材質等）は、適宜に変更して実施することができる。
【符号の説明】
【００６７】
１０，１０Ａ，１０Ｂ…電池セル、２０…筐体、２０ｃ…壁部（第一の壁部）、２０ｅ…壁部（第二の壁部）、２０ｃ３，２０ｃ４…端部、２０ｅ３，２０ｅ４…端部、２０ｋ…被挿入部、２１…端子、２２…正極端子、２３…負極端子、１００，１００Ａ〜１００Ｄ…組電池、１０１，１０１Ａ〜１０１Ｅ…導電部材、１０３ｄ…挿入部、Ｄ２…短手方向（第一の方向）、Ｄ３…長手方向（第二の方向）。
【図１】
2018116893.tif 000003
【図２】
2018116893.tif 000004
【図３】
2018116893.tif 000005
【図４】
2018116893.tif 000006
【図５】
2018116893.tif 000007
【図６】
2018116893.tif 000008
【図７】
2018116893.tif 000009
【図８】
2018116893.tif 000010
【図９】
2018116893.tif 000011
【図１０】
2018116893.tif 000012
【図１１】
2018116893.tif 000013
【図１２】
2018116893.tif 000014
【図１３】
2018116893.tif 000015
【図１４】
2018116893.tif 000016
【図１５】
2018116893.tif 000017
【図１６】
2018116893.tif 000018
【図１７】
2018116893.tif 000019
【図１８】
2018116893.tif 000020
【図１９】
2018116893.tif 000021
【図２０】
2018116893.tif 000022
【図２１】
2018116893.tif 000023
【図２２】
2018116893.tif 000024
【図２３】
2018116893.tif 000025
【図２４】
2018116893.tif 000026
【図２５】
2018116893.tif 000027
【図２６】
2018116893.tif 000028
【図２７】
2018116893.tif 000029
【図２８】
2018116893.tif 000030